(57)【要約】【課題】特定の波長の光線だけを透過させる特定フィルタの光路に対する配置位置の切替えによる、その特定の波長の光線の患者眼側への選択的透過又は非透過の切替えを、観察者が接眼部から目を離すことなしに行うことが可能で、患者眼の検査の作業性及び正確性を向上させることが可能なスリットランプを提供する。【解決手段】スリットランプを、それを構成するフィルタ保持手段が特定フィルタを電動駆動系で切替え可能に保持する特定フィルタ保持手段と通常フィルタを手動駆動系で切替え可能に保持する通常フィルタ保持手段とを含むように、かつ電動駆動系と手動駆動系とが、互いにそれぞれ独立して駆動するように、構成する。【選択図】図１
2016067852.tif 000002
【特許請求の範囲】
【請求項１】
眼科患者の検診対象である眼球（患者眼）に光源部からの光線を照射して、前記患者眼の眼底から反射された反射光によって前記患者眼の瞳孔を照明する照明光学系と、前記照明光学系により照明された前記患者眼の瞳孔を、観察者が接眼部で観察する観察光学系と、を備えたスリットランプであって、
前記照明光学系は、前記光線の経路（光路）中に、前記光路を通過する前記光線の幅を変更して所定の幅のスリット光にすることが可能なスリット部と、所定の波長の前記光線だけを透過させる複数のフィルタを、その前記光路に対する配置位置をフィルタ保持手段で切替え可能に保持するフィルタ部と、を有し、
前記フィルタ部を構成する前記複数のフィルタは、特定の波長の光線だけを透過させる特定フィルタと、前記特定波長以外の所定の波長の光線だけを透過させる通常フィルタと、を含み、
前記フィルタ部を構成する前記フィルタ保持手段は、前記特定フィルタを、その前記光路に対する配置位置を電動駆動系で切替え可能に保持する特定フィルタ保持手段と、前記通常フィルタを、その前記光路に対する配置位置を手動駆動系で切替え可能に保持する通常フィルタ保持手段と、を含み、
前記電動駆動系と前記手動駆動系とは、互いにそれぞれ独立して駆動するように構成され、
前記電動駆動系によって、前記特定フィルタの前記光路に対する配置位置の切替えによる前記特定の波長の光線の前記患者眼側への選択的透過又は非透過の切替えを、前記観察者が前記接眼部から目を離すことなしに行うことが可能なように構成されたことを特徴とするスリットランプ。
【請求項２】
前記特定フィルタは、コバルトフィルタ又はエキサイタフィルタである請求項１に記載のスリットランプ。
【請求項３】
前記通常フィルタは、防熱フィルタ、レッドフリーフィルタ、電球色フィルタ又はコバルトフィルタである請求項１又は２に記載のスリットランプ。
【請求項４】
前記特定フィルタ保持手段は、前記電動駆動系の回転軸に固定されるとともに前記電動駆動系の回転軸と同軸に回転可能に構成された特定ターレット円板を有し、前記特定ターレット円板は、その円周に沿って刳抜き形成された２つの円形孔及び２本の切欠きを有するとともに、２つの前記円形孔のいずれか一方に前記特定フィルタが装着され、他の一方は素通し孔となるように構成された請求項１〜３のいずれか１項に記載のスリットランプ。
【請求項５】
前記通常フィルタ保持手段は、前記手動駆動系の回転軸に固定されるとともに、前記手動駆動系の回転軸と同軸に回転可能に構成された通常ターレット円板を有し、前記通常ターレット円板は、その円周に沿って刳抜き形成された所定数の同一径の円形孔を有し、前記同一径の円形孔の少なくとも１つに前記通常フィルタが装着されてなるように構成された請求項１〜４のいずれか１項に記載のスリットランプ。
【請求項６】
前記フィルタ保持手段は、前記特定ターレット円板及び前記通常ターレット円板に加えて、前記特定ターレット円板及び前記通常ターレット円板と同軸に固定されるとともに、その円周に沿って刳抜き形成された所定数の異径の円形孔及び円周方向に幅が漸減（漸増）する長孔を有する光量調整ターレット円板をさらに有する請求項４又は５に記載のスリットランプ。
【請求項７】
前記電動駆動系は、特定フィルタ切替スイッチ、リミットスイッチ、フォトセンサ、モーター及びマイクロコンピュータを有し、前記切替スイッチの押圧操作によって、前記特定ターレット円板に形成された前記切欠きの位置を確認し、前記切欠きの位置に応じて、前記特定ターレット円板に装着された前記特定フィルタを、前記光路に該当する配置位置又は前記光路に該当しない配置位置のうちの所望の配置位置に停止させるように構成された請求項１〜６のいずれか１項に記載のスリットランプ。
【請求項８】
前記スリット部は、２枚の刃形状の板から構成され、前記刃形状の板は、その刃先部を互いに対向させて、前記刃先部の間に所定の隙間を形成するように、互いに逆方向に同じ距離とタイミングで移動可能に配置された請求項１〜７のいずれか１項に記載のスリットランプ。
【請求項９】
前記観察光学系は、反射光導入部及び接眼部を有する請求項１〜８のいずれか１項に記載のスリットランプ。
【発明の詳細な説明】
【技術分野】
【０００１】
本発明は、眼科患者の検診対象である眼球（患者眼）を照明して観察をするスリットランプに関する。
【背景技術】
【０００２】
スリットランプは、光と顕微鏡とを利用した光学系を用いることによって、患者眼の観察を行うものである（例えば、特許文献１及び特許文献２参照）。
【０００３】
その操作は、例えば、患者の顎を顎台等に固定し、観察者（例えば、眼科医）が、ジョイスティック等の操作手段を手で動かして患者眼に光学系を合わせることによって行われる。具体的な観察としては、例えば、角膜の傷を確認するための検査がある。
【０００４】
これは、黄色に発光するフルオレセインの薬液を患者眼の角膜に浸し、コバルトフィルタを通した光をあて、角膜に傷がある場合、その傷口に残留したフルオレセイン薬液を黄色に発光させ、この黄色光を観察することによって、角膜における傷口の有無及び程度を確認する検査である。
【０００５】
この検査は、黄色光だけを透過する特性を有するイエローフィルタを用いることによって、さらにフルオレセインの黄色発光部分だけを強調することができ、検査をさらに容易かつ確実なものとすることができる。
【０００６】
従来、図５に示すように、上述のコバルトフィルタ等の特定フィルタ５１は、フィルタ保持手段としてのターレット円板５８ａの所定位置（例えば、５つの刳抜き孔の１つに特定フィルタ５１を装着し、残りの孔に通常フィルタ５２を装着する）に保持され、ノブ、フィルタ制御用のレバー等の手動駆動系（図示せず）で、フィルタ保持手段としてのターレット円板５８ａを回転させることによって、光量を光量調整ターレット円板４１で調整しながら、特定フィルタ５１が所望の位置（例えば、光路に該当する位置又は光路に該当しない位置）にセットされるように切替えていた。
【０００７】
この場合、観察者は、その都度、接眼部から目を離し、目線を変えて、特定フィルタ５１の位置を切替える必要があるため、極めて煩雑であり、作業性に問題があるばかりではなく、検査の正確性の観点からも問題があった。
【先行技術文献】
【特許文献】
【０００８】
【特許文献１】特開平６−１４２０４７号公報
【特許文献２】特開２００１−１９０４９９号公報
【発明の概要】
【発明が解決しようとする課題】
【０００９】
本発明は、上述の問題に鑑みてなされたものであり、特定の波長の光線だけを透過させる特定フィルタ（例えば、コバルトフィルタ）の光路に対する配置位置の切替えによる、その特定の波長の光線（例えば、フルオレセイン薬液を黄色に発光させる光線）の患者眼側への選択的透過又は非透過の切替えを、観察者が接眼部から目を離すことなしに行うことが可能で、患者眼の検査の作業性及び正確性を向上させることが可能なスリットランプを提供することを目的とする。
【課題を解決するための手段】
【００１０】
本発明によって、以下のスリットランプが提供される。
【００１１】
［１］眼科患者の検診対象である眼球（患者眼）に光源部からの光線を照射して、前記患者眼の眼底から反射された反射光によって前記患者眼の瞳孔を照明する照明光学系と、前記照明光学系により照明された前記患者眼の瞳孔を、観察者が接眼部で観察する観察光学系と、を備えたスリットランプであって、前記照明光学系は、前記光線の経路（光路）中に、前記光路を通過する前記光線の幅を変更して所定の幅のスリット光にすることが可能なスリット部と、所定の波長の前記光線だけを透過させる複数のフィルタを、その前記光路に対する配置位置をフィルタ保持手段で切替え可能に保持するフィルタ部と、を有し、前記フィルタ部を構成する前記複数のフィルタは、特定の波長の光線だけを透過させる特定フィルタと、前記特定波長以外の所定の波長の光線だけを透過させる通常フィルタと、を含み、前記フィルタ部を構成する前記フィルタ保持手段は、前記特定フィルタを、その前記光路に対する配置位置を電動駆動系で切替え可能に保持する特定フィルタ保持手段と、前記通常フィルタを、その前記光路に対する配置位置を手動駆動系で切替え可能に保持する通常フィルタ保持手段と、を含み、前記電動駆動系と前記手動駆動系とは、互いにそれぞれ独立して駆動するように構成され、前記電動駆動系によって、前記特定フィルタの前記光路に対する配置位置の切替えによる前記特定の波長の光線の前記患者眼側への選択的透過又は非透過の切替えを、前記観察者が前記接眼部から目を離すことなしに行うことが可能なように構成されたことを特徴とするスリットランプ。
【００１２】
［２］前記特定フィルタは、コバルトフィルタ又はエキサイタフィルタである前記［１］に記載のスリットランプ。
【００１３】
［３］前記通常フィルタは、防熱フィルタ、レッドフリーフィルタ、電球色フィルタ又はコバルトフィルタである前記［１］又は［２］に記載のスリットランプ。
【００１４】
［４］前記特定フィルタ保持手段は、前記電動駆動系の回転軸に固定されるとともに前記電動駆動系の回転軸と同軸に回転可能に構成された特定ターレット円板を有し、前記特定ターレット円板は、その円周に沿って刳抜き形成された２つの円形孔及び２本の切欠きを有するとともに、２つの前記円形孔のいずれか一方に前記特定フィルタが装着され、他の一方は素通し孔となるように構成された前記［１］〜［３］のいずれか１項に記載のスリットランプ。
【００１５】
［５］前記通常フィルタ保持手段は、前記手動駆動系の回転軸に固定されるとともに、前記手動駆動系の回転軸と同軸に回転可能に構成された通常ターレット円板を有し、前記通常ターレット円板は、その円周に沿って刳抜き形成された所定数の同一径の円形孔を有し、前記同一径の円形孔の少なくとも１つに前記通常フィルタが装着されてなるように構成された前記［１］〜［４］のいずれか１項に記載のスリットランプ。
【００１６】
［６］前記フィルタ保持手段は、前記特定ターレット円板及び前記通常ターレット円板に加えて、前記特定ターレット円板及び前記通常ターレット円板と同軸に固定されるとともに、その円周に沿って刳抜き形成された所定数の異径の円形孔及び円周方向に幅が漸減（漸増）する長孔を有する光量調整ターレット円板をさらに有する前記［４］又は［５］に記載のスリットランプ。
【００１７】
［７］前記電動駆動系は、特定フィルタ切替スイッチ、リミットスイッチ、フォトセンサ、モーター及びマイクロコンピュータを有し、前記切替スイッチの押圧操作によって、前記特定ターレット円板に形成された前記切欠きの位置を確認し、前記切欠きの位置に応じて、前記特定ターレット円板に装着された前記特定フィルタを、前記光路に該当する配置位置又は前記光路に該当しない配置位置のうちの所望の配置位置に停止させるように構成された前記［１］〜［６］のいずれか１項に記載のスリットランプ。
【００１８】
［８］前記スリット部は、２枚の刃形状の板から構成され、前記刃形状の板は、その刃先部を互いに対向させて、前記刃先部の間に所定の隙間を形成するように、互いに逆方向に同じ距離とタイミングで移動可能に配置された前記［１］〜［７］のいずれか１項に記載のスリットランプ。
【００１９】
［９］前記観察光学系は、反射光導入部及び接眼部を有する前記［１］〜［８］のいずれか１項に記載のスリットランプ。
【発明の効果】
【００２０】
本発明によって、特定の波長の光線だけを透過させる特定フィルタ（例えば、コバルトフィルタ）の光路に対する配置位置の切替えによる、その特定の波長の光線（例えば、フルオレセイン薬液を黄色に発光させる光線）の患者眼側への選択的透過又は非透過の切替えを、観察者が接眼部から目を離すことなしに行うことが可能で、患者眼の検査の作業性及び正確性を向上させることが可能なスリットランプが提供される。
【図面の簡単な説明】
【００２１】
【図１】本発明の実施の形態に係るスリットランプのブロック図である。
【図２】本発明の実施の形態に係るスリットランプを模式的に示す斜視図である。
【図３】本発明の実施の形態に係るスリットランプに用いられるフィルタ部等を模式的に示す斜視図である。
【図４】本発明の実施の形態に係るスリットランプに用いられる特定ターレット円板及びその周辺部を模式的に示す斜視図である。
【図５】従来のスリットランプにおけるフィルタ部等を模式的に示す斜視図である。
【発明を実施するための形態】
【００２２】
図１は、本発明の実施の形態に係るスリットランプのブロック図であり、図２は、本発明の実施の形態に係るスリットランプを示す斜視図である。
【００２３】
図１及び図２に示すように、本実施の形態に係るスリットランプ１００は、照明光学系及び観察光学系を備えている。すなわち、眼科患者の検診対象である眼球（患者眼）１０に光源部１からの光線（入射光）Ｌ１を照射して、患者眼１０の眼底から反射された反射光Ｌ２によって患者眼１０の瞳孔を照明する照明光学系と、上述の照明光学系からの反射光Ｌ２により照明された患者眼１０の瞳孔を、観察者２０が接眼部９で観察する観察光学系とを備えている。
【００２４】
なお、図２は、後に詳述するフィルタ部５、光源部１を収納するランプハウスカバー１１、特定ターレット円板５３の切替に用いられる特定フィルタ切替スイッチ５０、通常ターレット円板５８の切替に用いられるフィルタ切替レバー１０１、光量調整ターレット円板４１の切替に用いられるフィルタ切替ノブ１０２、変倍ユニット１０３、ファイバーケーブル１０４、電源・信号ケーブル１０５、顎台１０６、及び光源部１（例えば、ＬＥＤ）の照射光の照度調整に用いられる調光ノブ１０７をそれぞれ示している。
【００２５】
照明光学系は、例えば、光源部１、集光部２、スリット部３、照明絞り部４、フィルタ部５、投影部６及び反射部７から構成される。
【００２６】
光源部１としては、例えば、ＬＥＤ、ハロゲンランプを挙げることができる。ＬＥＤ又はハロゲンランプは、上述のように、調光ノブ１０７にて照度調整ができるように構成されることが好ましい。上述のように、図２においては、ランプハウスカバー１１の中に光源部１が収納された場合を示す。
【００２７】
集光部２は、光源部１から照射された光線（入射光）Ｌ１を集光する機能を有する。集光部２は、例えば、第１のコンデンサーレンズ２１及び第２のコンデンサーレンズ２２から構成される。第１のコンデンサーレンズ２１及び第２のコンデンサーレンズ２２としては特に制限はなく、汎用のものを用いることができる。
【００２８】
スリット部３は、光線（入射光）Ｌ１の経路（入射光路）Ｐ１中において、光路Ｐ１を通過する光線（入射光）Ｌ１の幅を変更して所定の幅のスリット光にする機能を有する。スリット部３は、図示はしないが、例えば、２枚の刃形状の板から構成され、刃形状の板は、その刃先部を互いに対向させて、刃先部の間に所定の隙間を形成するように、互いに逆方向に同じ距離とタイミングで移動可能に配置されることが好ましい。
【００２９】
照明絞り部４は、具体的には、後述する光量調整ターレット円板４１として構成される。
【００３０】
図３に示すように、フィルタ部５は、所定の波長の光線（入射光）だけを透過させる、例えば、特定フィルタ５１及び通常フィルタ５２等の複数のフィルタを、その光路に対する配置位置を、フィルタ保持手段としての、例えば、特定ターレット円板５３及びターレット円板５８で切替え可能に保持するように構成される。ここで、光量は、光量調整ターレット円板４１の回転によって調整することができる。なお、図３及び図４において、フィルタ切替レバー１０１は、通常ターレット円板５８における通常フィルタ５２を手動駆動系で切替えるために用いられ、フィルタ切替ノブ１０２は、光量調整ターレット円板４１における光量の切替に用いられる。特定ターレット円板５３及びその周辺部の構成については、後に詳述する。
【００３１】
投影部６は、例えば、第１の投影レンズ６１及び第２の投影レンズ６２から構成される。第１の投影レンズ６１及び第２の投影レンズ６２としては特に制限はなく、汎用のものを用いることができる。
【００３２】
反射部７は、光線（入射光）Ｌ１を患者眼５０の方向に反射させるとともに、患者眼１０の眼底から反射されて戻った光線（反射光Ｌ２）を透過して、後述する反射経路Ｐ２を経由して観察者２０に到達させる機能を有する。反射部７は、例えば、反射ミラー７１から構成される。反射ミラー７１は、例えば、鏡、プリズムミラー等で構成される。なお、図１において、患者眼１０と反射ミラー７１との間の入射光Ｌ１及び反射光Ｌ２は、表現の便宜上、２本の線で示しているが、実際は同一の光路上にあり、１本の線で示されるべきものである。
【００３３】
また、観察光学系は、例えば、反射光導入部８及び接眼部９から構成される。
【００３４】
反射光導入部８は、例えば、ミラー７１等の反射部７を透過した反射光Ｌ２を導入する機能を有する。反射光導入部８は、例えば、対物レンズ８１、変倍光学系８２及び第３の投影レンズ８３から構成される。対物レンズ８１、変倍光学系８２及び第３の投影レンズ８３としては特に制限はなく、汎用のものを用いることができる。
【００３５】
接眼部９は、観察者６０の正確かつ確実な観察を可能とする機能を有する。接眼部９は、例えば、第１の正立プリズム９１、第２の正立プリズム９２及び接眼レンズ９３から構成される。第１の正立プリズム９１、第２の正立プリズム９２及び接眼レンズ９３としては特に制限はなく、汎用のものを用いることができる。
【００３６】
以下、フィルタ部５、特に、特定ターレット円板５３及びその周辺部について詳細に説明する。図３及び図４に示すように、フィルタ部５における複数のフィルタは、特定の波長の光線だけを透過させる特定フィルタ５１と、特定波長以外の所定の波長の光線だけを透過させる通常フィルタ５２とを含んでいる。
【００３７】
特定フィルタ５１としては、例えば、コバルトフィルタ、エキサイタフィルタ等を挙げることができる。コバルトフィルタは、上述のように、角膜の傷を確認するための検査等に用いられる、フルオレセイン薬液を黄色に発光させる特性を有するフィルタである。エキサイタフィルタも同様に、角膜の傷を確認するための検査等に用いられる、フルオレセイン薬液を黄色に発光させる特性を有するフィルタである。
【００３８】
通常フィルタ５２としては、例えば、防熱フィルタ、レッドフリーフィルタ、電球色フィルタ、コバルトフィルタ等を挙げることができる。ここで、防熱フィルタ、レッドフリーフィルタ、電球色フィルタは、それぞれ赤外線カット、赤色光カット、及びハロゲン色温度の実現のために用いられるフィルタである。
【００３９】
フィルタ保持手段は、特定フィルタ５１を、その光路に対する配置位置を電動駆動系で切替え可能に保持する特定フィルタ保持手段としての特定ターレット円板５３と、通常フィルタ５２を、その光路に対する配置位置を手動駆動系で切替え可能に保持する通常フィルタ保持手段としての、通常ターレット円板５８とを含む。なお、図３及び図４において、フィルタ切替レバー１０１は、通常ターレット円板５８における通常フィルタ５２を手動駆動系で切替えるために用いられ、フィルタ切替ノブ１０２は、光量調整ターレット円板４１における光量の切替に用いられる。
【００４０】
特定ターレット円板５３は、例えば、電動駆動系の回転軸に固定されるとともに電動駆動系の回転軸と同軸に回転可能に構成されている。特定ターレット円板５３は、その円周に沿って刳抜き形成された２つの円形孔を有するとともに、２つの円形孔のいずれか一方に特定フィルタ５１が装着され、他の一方は素通し孔５７ａとなるように構成されている。また、特定ターレット円板５３には、後述する２本の切欠き５７ｂ（図４参照）が形成されている。
【００４１】
通常ターレット円板５８は、例えば、手動駆動系の回転軸に固定されるとともに、手動駆動系の回転軸と同軸に回転可能に構成されている。通常ターレット円板５８は、その円周に沿って刳抜き形成された所定数の同一径の円形孔を有し、同一径の円形孔の少なくとも１つに通常フィルタ５２が装着されている（図３においては、５つの全ての円形孔に通常フィルタ５２が装着された場合を示す）。
【００４２】
なお、特定フィルタ５１は、通常ターレット円板５８のいずれかの円形孔に装着されて、手動駆動系でも切替えられるように構成されてもよい。すなわち、特定フィルタ５１は、特定ターレット円板５３及び通常ターレット円板５８の両方に装着されて、電動駆動系及び手動駆動系のうちの何れか所望の駆動系を用いて切替えられるように構成されてもよい。
【００４３】
本実施の形態においては、フィルタ保持手段は、特定ターレット円板５３及び通常ターレット円板５８を有する。また、特定ターレット円板５３及び通常ターレット円板５８の上方には、上述の照明絞り部４として、特定ターレット円板５３及び通常ターレット円板５８と同軸に固定されるとともに、その円周に沿って刳抜き形成された所定数の異径の円形孔及び円周方向に幅が漸減（漸増）する長孔を有する光量調整ターレット円板４１が配設されている。
【００４４】
図４に示すように、特定ターレット円板５３に装着された特定フィルタ５１を切替えるための電動駆動系は、例えば、特定フィルタ切替スイッチ５０（図２参照）、リミットスイッチ５４、フォトセンサ５５、モーター５６及びマイクロコンピュータ（図示せず）から構成される。特定フィルタ切替スイッチ５０の押圧操作によって、特定ターレット円板５３の両側に配設されたリミットスイッチ５４が特定ターレット円板５３の存在場所を認識し、マイクロコンピュータによって、モーター５６の回転方向が決められ、モーターが回転する。
【００４５】
次に、フォトセンサ５５によって、特定ターレット円板５３に形成された切欠き５７ｂの位置を確認し、切欠き５７ｂの位置に対応して、特定ターレット円板５３に装着された特定フィルタ５１を、光路（入射光路）Ｐ１に該当する位置又は光路Ｐ１に該当しない位置のうちの所望の位置に停止させるように構成されている。なお、停止の位置については、これに限定されず、他の態様を採用することもできる。
【００４６】
本実施の形態においては、特定フィルタ５１を切替えるための電動駆動系と、通常フィルタ５２を切替えるための手動駆動系とは、互いにそれぞれ独立して駆動するように構成されており、上述の電動駆動系によって、特定フィルタ５１の光路Ｐ１に対する配置位置の切替えによる特定の波長の光線の患者眼１０側への選択的透過又は非透過の切替えを、観察者２０が接眼部９から目を離すことなしに行うことが可能であるように構成されている。
【００４７】
以下、図１〜図４を参照して、本実施の形態のスリットランプ１００を用いて、角膜の傷口を確認する検査の手順について説明する。まず、患者眼１０にフルオレセイン薬液を点眼する。次に、患者は顎を顎台１０６に乗せる。次に、観察者２０は患者の角膜に観察光を照射し、患者の角膜にピントを合わせる。次に、特定フィルタ５１としてのコバルトフィルタをセットし、患者眼１０にブルーの光を照射する。次に、角膜に傷があるか否かを、発光によって確認する（角膜に傷がある場合は、傷口にフルオレセイン薬液が侵入しているので黄色に発光する（フルオレセイン薬液は、コバルト光を照射すると発光する性質を有する）。
【産業上の利用可能性】
【００４８】
本発明のスリットランプは、眼科等の医療業界等において有効に利用される。
【符号の説明】
【００４９】
１      光源部
２      集光部
３      スリット部
４      照明絞り部
５      フィルタ部
６      投影部
７      反射部
８      反射光導入部
９      接眼部
１０    患者眼（被検眼）
１１    ランプハウスカバー
２０    観察者（検眼）
２１    第１のコンデンサーレンズ
２２    第２のコンデンサーレンズ
４１    光量調整ターレット円板
５０    特定フィルタ切替スイッチ
５１    特定フィルタ
５２    通常フィルタ
５３    特定ターレット円板
５４    リミットスイッチ
５５    フォトセンサ
５６    モーター
５７ａ  素通し孔
５７ｂ  切欠き
５８    通常ターレット円板
５８ａ  ターレット円板
６１    第１の投影レンズ
６２    第２の投影レンズ
７１    ミラー
８１    対物レンズ
８２    変倍光学系
８３    第３の投影レンズ
９１    第１の正立プリズム
９２    第２の正立プリズム
９３    接眼レンズ
１００  スリットランプ
１０１  フィルタ切替レバー
１０２  フィルタ切替ノブ
１０３  変倍ユニット
１０４  ファイバーケーブル
１０５  電源・信号ケーブル
１０６  顎台
１０７  調光ノブ
Ｌ１    入射光
Ｌ２    反射光
Ｐ１    入射光路
Ｐ２    反射経路
【図１】
2016067852.tif 000003
【図２】
2016067852.tif 000004
【図３】
2016067852.tif 000005
【図４】
2016067852.tif 000006
【図５】
2016067852.tif 000007